(57)【要約】  局のサブセットのためにネットワーク割当てベクトルを選択的に設定するための方法および装置。一態様では、複数のワイヤレスデバイスのためにワイヤレス通信媒体へのアクセスを予約する方法であって、ネットワーク割当てベクトル（ＮＡＶ）を設定するようにとの複数のワイヤレスデバイスのうちのワイヤレスデバイスの第１のサブセットのための第１の指示を含み、ＮＡＶを設定しないようにとの複数のワイヤレスデバイスのうちのワイヤレスデバイスの第２のサブセットのための第２の指示をさらに含むメッセージを送信し、それによって、複数のワイヤレスデバイスのうちの少なくとも第２のサブセットのためにワイヤレス媒体へのアクセスを予約することを備える、方法。
2016541158.tif 000002
【特許請求の範囲】
【請求項１】
複数のワイヤレスデバイスのためにワイヤレス通信媒体へのアクセスを予約する方法であって、ネットワーク割当てベクトル（ＮＡＶ）を設定するようにとの前記複数のワイヤレスデバイスのうちのワイヤレスデバイスの第１のサブセットのための第１の指示を含み、前記ＮＡＶを設定しないようにとの前記複数のワイヤレスデバイスのうちのワイヤレスデバイスの第２のサブセットのための第２の指示をさらに含むメッセージを送信し、それによって、前記複数のワイヤレスデバイスのうちの少なくとも前記第２のサブセットのために前記ワイヤレス媒体へのアクセスを予約することを備える、方法。
【請求項２】
前記第２の指示は、前記メッセージのタイプフィールドおよびサブタイプフィールドのうちの少なくとも１つに情報を含めることによる、請求項１に記載の方法。
【請求項３】
前記第１の指示および前記第２の指示は、前記メッセージのプロトコルバージョンフィールドに値を含めることにより、前記ＮＡＶを設定するようにとの前記第１の指示は、前記値が０に等しいときであり、前記ＮＡＶを設定しないようにとの前記第２の指示は、前記値が０よりも大きい値を備えるときである、請求項１に記載の方法。
【請求項４】
前記第２の指示は、無効な持続時間値を指示する前記メッセージの持続時間フィールドに情報を含めることにより、前記無効な持続時間値は、前記持続時間フィールドの許容可能な値の定義された範囲外の値を含む、請求項１に記載の方法。
【請求項５】
前記複数のワイヤレスデバイスのうちの少なくとも第３のサブセットのための第２のメッセージを送信することをさらに備え、前記第２のメッセージは、前記ＮＡＶをリセットするようにとのワイヤレスデバイスの前記第３のサブセットのための第３の指示を含み、前記ＮＡＶをリセットしないようにとの前記複数のワイヤレスデバイスのうちの第４のサブセットのための第４の指示をさらに含む、請求項１に記載の方法。
【請求項６】
前記第３の指示は、コンテンションフリー（ＣＦ）終了フレームの送信を利用することにより、前記第４の指示は、前記ＣＦ終了フレームの基本サービスセット識別子フィールドに情報を含めることによる、請求項５に記載の方法。
【請求項７】
前記第３の指示は、前記第２のメッセージの送信のために使用される物理レイヤフォーマットに基づき、前記第４の指示は、前記第２のメッセージのタイプフィールドおよびサブタイプフィールドのうちの少なくとも１つに情報を含めることによる、請求項５に記載の方法。
【請求項８】
前記第１の指示は、前記メッセージのフィールドに情報を含めることにより、前記フィールドは、持続時間フィールド以外のものであり、前記情報は、前記複数のワイヤレスデバイスのうちの前記第１のサブセットが前記ＮＡＶを設定する持続時間を指示し、前記第２の指示は、前記ＮＡＶを設定しないために前記複数のワイヤレスデバイスのうちの前記第２のサブセットのために前記メッセージの前記持続時間フィールドにゼロの持続時間を含めることによる、請求項１に記載の方法。
【請求項９】
前記メッセージは、送信可メッセージを備え、前記第１の指示は、前記送信可メッセージの持続時間フィールドに持続時間を含めることにより、前記第２の指示は、マルチキャストアドレスまたは特定の媒体アクセス制御アドレスのうちの１つを識別する前記送信可メッセージの受信機アドレスフィールドに情報を含めることによる、請求項１に記載の方法。
【請求項１０】
前記メッセージは、送信可メッセージを備え、前記第１の指示は、前記送信可メッセージの持続時間フィールドに持続時間を含めることにより、前記第２の指示は、マルチキャストアドレスまたは特定の媒体アクセス制御アドレスを識別する前記送信可メッセージの受信機アドレスフィールドに情報を含めることと、前記送信可メッセージのサービスフィールドに情報を含めることとによる、請求項１に記載の方法。
【請求項１１】
前記メッセージは、送信可メッセージを備え、前記第１の指示は、前記複数のワイヤレスデバイスの前記第１のサブセットの媒体アクセス制御アドレスのリストを含めることによる、請求項１に記載の方法。
【請求項１２】
前記メッセージは、送信可メッセージを備え、前記送信可メッセージは、潜在的に干渉するワイヤレスデバイスの最大数の値を含み、前記ＮＡＶを設定するようにとの前記第１の指示は、潜在的に干渉するワイヤレスデバイスの前記最大数が、前記メッセージを受信する前記複数のワイヤレスデバイスのうちのデバイスによって生成されるランダムな数よりも小さいときであり、前記ＮＡＶを設定しないようにとの前記第２の指示は、潜在的に干渉するワイヤレスデバイスの前記最大数が前記メッセージを受信する前記複数のワイヤレスデバイスのうちの前記デバイスによって生成されるランダムな数よりも大きいときである、請求項１に記載の方法。
【請求項１３】
前記メッセージは、送信要求メッセージであり、前記第１の指示は、前記送信要求メッセージの持続時間フィールドに持続時間を含めることにより、前記第２の指示は、マルチキャストアドレスを識別する前記送信要求メッセージの送信機アドレスフィールドに情報を含めることにより、前記送信要求メッセージのサービスフィールドに情報を備える、請求項１に記載の方法。
【請求項１４】
前記メッセージは、送信要求メッセージを備え、前記第１の指示は、前記複数のワイヤレスデバイスの前記第１のサブセットの媒体アクセス制御アドレスのリストを含めることによる、請求項１に記載の方法。
【請求項１５】
送信可メッセージを受信することをさらに備え、前記送信可メッセージは、前記送信要求メッセージと同様に前記媒体アクセス制御アドレスの前記リストを含む、請求項１４に記載の方法。
【請求項１６】
前記メッセージは、送信要求メッセージを備え、前記送信要求メッセージは、潜在的に干渉するワイヤレスデバイスの最大数の値を含み、前記ＮＡＶを設定するようにとの前記第１の指示は、潜在的に干渉するワイヤレスデバイスの前記最大数が前記メッセージを受信する前記複数のワイヤレスデバイスのうちのデバイスによって生成されるランダムな数よりも小さいときであり、前記ＮＡＶを設定しないようにとの前記第２の指示が、潜在的に干渉するワイヤレスデバイスの前記最大数が前記メッセージを受信する前記複数のワイヤレスデバイスのうちの前記デバイスによって生成されるランダムな数よりも大きいときである、請求項１に記載の方法。
【請求項１７】
前記メッセージは、データまたは管理フレームを備え、前記第１の指示は、前記送信要求メッセージの持続時間フィールドに持続時間を含めることにより、前記第２の指示は、マルチキャストアドレスを識別する前記データまたは管理フレームの送信機アドレスフィールド中に情報を含めることにより、さらに、前記データまたは管理フレームのサービスフィールドに情報を含めることによる、請求項１に記載の方法。
【請求項１８】
前記メッセージは、サービス品質ヌルフレームであり、前記第１の指示は、前記サービス品質ヌルフレームの持続時間フィールドに持続時間を含めることにより、前記第２の指示は、前記サービス品質ヌルフレームの制御フィールドに情報を含めることによる、請求項１に記載の方法。
【請求項１９】
前記メッセージは、制御ラッパーフレームであり、前記第１の指示は、前記制御ラッパーフレームの持続時間フィールドに持続時間を含めることにより、前記第２の指示は、無効値を指示する前記制御ラッパーフレームの高スループット制御フィールドに情報を含めることにより、前記無効値は、前記高スループット制御フィールドの許容可能な値の定義された範囲外の値である、請求項１に記載の方法。
【請求項２０】
前記メッセージは、前記ワイヤレス媒体にアクセスしようと試みる前に前記媒体がアイドルであるタイムスロットの指示された数の間待つようにとの前記メッセージを受信するワイヤレスデバイスのための命令を備える、請求項１に記載の方法。
【請求項２１】
ワイヤレス通信のためのデバイスであって、
メッセージ、ネットワーク割当てベクトル（ＮＡＶ）を設定するようにとの複数のワイヤレスデバイスのうちのワイヤレスデバイスの第１のサブセットのための第１の指示、および前記ＮＡＶを設定しないようにとの前記複数のワイヤレスデバイスのうちのワイヤレスデバイスの第２のサブセットのための第２の指示をさらに含むことを生成することを行うように構成されたプロセッサと、
前記メッセージを送信し、それによって、前記複数のワイヤレスデバイスのうちの少なくとも前記第２のサブセットのためにワイヤレス媒体へのアクセスを予約することを行うように構成された送信機と
を備える、デバイス。
【請求項２２】
前記プロセッサは、前記第２の指示が、前記メッセージのタイプフィールドおよびサブタイプフィールドのうちの少なくとも１つに情報を含めることによるように、前記メッセージを生成するようにさらに構成された、請求項２１に記載のデバイス。
【請求項２３】
前記送信機は、前記複数のワイヤレスデバイスのうちの少なくとも第３のサブセットのための第２のメッセージを送信するようにさらに構成され、前記第２のメッセージは、前記ＮＡＶをリセットするようにとのワイヤレスデバイスの前記第３のサブセットのための第３の指示を含み、前記ＮＡＶをリセットしないようにとの前記複数のワイヤレスデバイスのうちの第４のサブセットのための第４の指示をさらに含む、請求項２１に記載のデバイス。
【請求項２４】
前記第２のメッセージは、コンテンションフリー（ＣＦ）終了フレームを備え、前記第３の指示は、前記ＣＦ終了フレームの送信を利用することにより、前記第４の指示は、前記ＣＦ終了フレームの基本サービスセット識別子フィールドに情報を含めることによる、請求項２３に記載のデバイス。
【請求項２５】
前記プロセッサは、前記メッセージが、前記媒体にアクセスしようと試みる前に前記媒体がアイドルであるタイムスロットの示された数の間待つようにとの前記メッセージを受信するワイヤレスデバイスのための命令を含むように前記メッセージを生成するようにさらに構成された、請求項２１に記載のデバイス。
【請求項２６】
ワイヤレス通信のためのデバイスであって、
ネットワーク割当てベクトル（ＮＡＶ）を設定するようにとの複数のワイヤレスデバイスのうちのワイヤレスデバイスの第１のサブセットのための第１の指示を含み、前記ＮＡＶを設定しないようにとの前記複数のワイヤレスデバイスのうちのワイヤレスデバイスの第２のサブセットのための第２の指示をさらに含むメッセージを生成するための手段と、
前記メッセージを送信し、それによって、前記複数のワイヤレスデバイスのうちの少なくとも前記第２のサブセットのためにワイヤレス媒体へのアクセスを予約するための手段と
を備える、デバイス。
【請求項２７】
前記メッセージを生成するための前記手段は、送信可メッセージを生成するための手段を備え、前記第１の指示は、前記送信可メッセージの持続時間フィールドに持続時間を含めることにより、前記第２の指示は、マルチキャストアドレスまたは特定の媒体アクセス制御アドレスのうちの１つを識別する前記送信可メッセージの受信機アドレスフィールドに情報を含めることによる、請求項２６に記載のデバイス。
【請求項２８】
前記メッセージを生成するための前記手段は、送信要求メッセージを生成するための手段を備え、前記第１の指示は、前記送信要求メッセージの持続時間フィールドに持続時間を含めることにより、前記第２の指示は、マルチキャストアドレスを識別する前記送信要求メッセージの送信機アドレスフィールドに情報を含めることにより、前記送信要求メッセージのサービスフィールドに情報を備える、請求項２６に記載のデバイス。
【請求項２９】
前記メッセージを生成するための前記手段は、送信要求メッセージを生成するための手段を備え、前記送信要求メッセージは、潜在的に干渉するワイヤレスデバイスの最大数の値を含み、前記ＮＡＶを設定するようにとの前記第１の指示は、潜在的に干渉するワイヤレスデバイスの前記最大数が前記メッセージを受信する前記複数のワイヤレスデバイスのうちのデバイスによって生成されるランダムな数よりも小さいときであり、前記ＮＡＶを設定しないようにとの前記第２の指示は、潜在的に干渉するワイヤレスデバイスの前記最大数が前記メッセージを受信する前記複数のワイヤレスデバイスのうちの前記デバイスによって生成されるランダムな数よりも大きいときである、請求項２６に記載のデバイス。
【請求項３０】
実行されたとき、装置に、
ネットワーク割当てベクトル（ＮＡＶ）を設定するようにとの複数のワイヤレスデバイスのうちのワイヤレスデバイスの第１のサブセットのための第１の指示を含み、前記ＮＡＶを設定しないようにとの前記複数のワイヤレスデバイスのうちのワイヤレスデバイスの第２のサブセットのための第２の指示をさらに含むメッセージを送信し、それによって、前記複数のワイヤレスデバイスのうちの少なくとも前記第２のサブセットのためにワイヤレス媒体へのアクセスを予約すること
を行わせるコードを備える、非一時的コンピュータ可読媒体。
【発明の詳細な説明】
【技術分野】
【０００１】
[0001]本開示のいくつかの態様は、一般にワイヤレス通信に関し、より詳細には、ワイヤレスネットワークにおける通信を選択的にブロックするための方法および装置に関する。
【背景技術】
【０００２】
[0002]多くの電気通信システムでは、いくつかの対話している空間的に離れたデバイスの間でメッセージを交換するために、通信ネットワークが使用される。ネットワークは、たとえばメトロポリタンエリア、ローカルエリア、またはパーソナルエリアであり得る地理的範囲に従って分類され得る。そのようなネットワークはそれぞれ、ワイドエリアネットワーク（ＷＡＮ）、メトロポリタンエリアネットワーク（ＭＡＮ）、ローカルエリアネットワーク（ＬＡＮ）、またはパーソナルエリアネットワーク（ＰＡＮ）として指定され得る。ネットワークはまた、様々なネットワークノードとデバイスとを相互接続するために使用されるスイッチング／ルーティング技法（たとえば、回線交換対パケット交換）、送信のために用いられる物理媒体のタイプ（たとえば、有線対ワイヤレス）、および使用される通信プロトコルのセット（たとえば、インターネットプロトコルスイート、ＳＯＮＥＴ（同期光ネットワーキング）、イーサネット（登録商標）など）によって異なる。
【０００３】
[0003]ワイヤレスネットワークは、ネットワーク要素がモバイルであり、したがって動的な接続性を必要とするとき、またはネットワークアーキテクチャが固定されたトポロジでなくアドホックなトポロジで形成される場合に、好ましいことが多い。ワイヤレスネットワークは、無線、マイクロ波、赤外線、光などの周波数帯域中の電磁波を使用する非誘導伝搬モードでは、無形物理媒体を採用する。ワイヤレスネットワークは、有利には、固定されたワイヤードネットワークと比較すると、ユーザのモビリティと迅速なフィールド展開とを容易にする。
【０００４】
[0004]ワイヤレスネットワーク内のデバイスは、互いの間で情報を送信／受信し得る。デバイスは、異なるデータレートで通信し得る。多くのデバイスが通信ネットワークを共有し、デバイスネットワークの通信レートの間に大きい差がある場合、輻輳および非効率的なリンク使用が生じ得る。したがって、高効率ワイヤレスネットワークにおける通信効率を改善するためのシステム、方法、および非一時的コンピュータ可読媒体が必要とされる。
【発明の概要】
【０００５】
[0005]添付の特許請求の範囲内のシステム、方法およびデバイスの様々な実装形態は、それぞれいくつかの態様を有し、それらのうちの単一の態様が、単独で、本明細書で説明する望ましい属性を担当するとは限らない。添付の特許請求の範囲を限定することなしに、いくつかの顕著な特徴が本明細書で説明される。
【０００６】
[0006]本明細書で説明する主題の１つまたは複数の実装形態の詳細は、添付の図面および以下の説明に示されている。他の特徴、態様、および利点は、説明、図面、および特許請求の範囲から明らかになるであろう。以下の図の相対寸法は一定の縮尺で描かれていないことがあることに留意されたい。
【０００７】
[0007]本開示の一態様は、複数のワイヤレスデバイスのためにワイヤレス通信媒体へのアクセスを予約する方法を提供する。ネットワーク割当てベクトル（ＮＡＶ：network allocation vector）を設定するようにとの複数のワイヤレスデバイスのうちのワイヤレスデバイスの第１のサブセットのための第１の指示を含み、ＮＡＶを設定しないようにとの複数のワイヤレスデバイスのうちのワイヤレスデバイスの第２のサブセットのための第２の指示をさらに含むメッセージを送信し、それによって、複数のワイヤレスデバイスのうちの少なくとも第２のサブセットのためにワイヤレス媒体へのアクセスを予約することを備える本方法。
【０００８】
[0008]本開示の別の態様は、ワイヤレス通信の方法を提供する。媒体にアクセスしようと試みる前に媒体がアイドルであるタイムスロットの示された数の間待つように、受信するワイヤレスデバイスに命令するメッセージを送信することを備える本方法。
【０００９】
[0009]本開示の別の態様は、ワイヤレス通信のための装置を提供する。メッセージ、ネットワーク割当てベクトル（ＮＡＶ）を設定するようにとの複数のワイヤレスデバイスのうちのワイヤレスデバイスの第１のサブセットのための第１の指示、およびＮＡＶを設定しないようにとの複数のワイヤレスデバイスのうちのワイヤレスデバイスの第２のサブセットのための第２の指示をさらに含むことを生成することを行うように構成されたプロセッサを備える本装置。メッセージを送信し、それによって、複数のワイヤレスデバイスのうちの少なくとも第２のサブセットのためにワイヤレス媒体へのアクセスを予約することを行うように構成された送信機をさらに備える本装置。
【００１０】
[0010]本開示の別の態様は、ワイヤレス通信のための装置を提供する。媒体にアクセスしようと試みる前に媒体がアイドルであるタイムスロットの示された数の間待つように、受信するワイヤレスデバイスに命令するメッセージを生成するように構成されたプロセッサを備える本装置。メッセージを送信するように構成された送信機をさらに備える本装置。
【００１１】
[0011]本開示の別の態様は、ワイヤレス通信のための装置を提供する。ネットワーク割当てベクトル（ＮＡＶ）を設定するようにとの複数のワイヤレスデバイスのうちのワイヤレスデバイスの第１のサブセットのための第１の指示を含み、ＮＡＶを設定しないようにとの複数のワイヤレスデバイスのうちのワイヤレスデバイスの第２のサブセットのための第２の指示をさらに含むメッセージを生成するための手段を備える本装置。メッセージを送信し、それによって、複数のワイヤレスデバイスのうちの少なくとも第２のサブセットのためにワイヤレス媒体へのアクセスを予約するための手段をさらに備える本装置。
【００１２】
[0012]本開示の別の態様は、ワイヤレス通信のための装置を提供する。媒体にアクセスしようと試みる前に媒体がアイドルであるタイムスロットの示された数の間待つように、受信するワイヤレスデバイスに命令するメッセージを生成するための手段を備える本装置。メッセージを送信するための手段をさらに備える本装置。
【００１３】
[0013]本開示の別の態様は、非一時的コンピュータ可読媒体を提供する。実行されたとき、装置に、ネットワーク割当てベクトル（ＮＡＶ）を設定するようにとの複数のワイヤレスデバイスのうちのワイヤレスデバイスの第１のサブセットのための第１の指示を含み、ＮＡＶを設定しないようにとの複数のワイヤレスデバイスのうちのワイヤレスデバイスの第２のサブセットのための第２の指示をさらに含むメッセージを送信し、それによって、複数のワイヤレスデバイスのうちの少なくとも第２のサブセットのためにワイヤレス媒体へのアクセスを予約することを行わせるコードを備える本媒体。
【００１４】
[0014]本開示の別の態様は、非一時的コンピュータ可読媒体を提供する。実行されたとき、装置に、媒体にアクセスしようと試みる前に媒体がアイドルであるタイムスロットの示された数の間待つように、受信するワイヤレスデバイスに命令するメッセージを送信することを行わせるコードを備える本媒体。
【図面の簡単な説明】
【００１５】
【図１】[0015]本開示の態様が利用され得るワイヤレス通信システムの一例を示す図。
【図２】[0016]図１のワイヤレス通信システム内で採用され得るワイヤレスデバイスにおいて利用され得る様々な構成要素を示す図。
【図３】[0017]例示的なワイヤレス通信システムの図。
【図４】[0018]例示的なＲＴＳ／ＣＴＳ交換の図。
【図５】[0019]例示的なＲＴＳ／ＣＴＳ交換の図。
【図６】[0020]ＲＴＳ／ＣＴＳ交換の時間シーケンス図
【図７】[0021]ワイヤレス通信システムにおける例示的なＲＴＳ／ＣＴＳ交換の図。
【図８】[0022]例示的な制限付きアクセスウィンドウ（ＲＡＷ：restricted access window）動作の時間シーケンス図。
【図９】[0023]ワイヤレス通信を提供するための例示的な方法の態様のフローチャート。
【発明を実施するための形態】
【００１６】
[0024]新規のシステム、装置、および方法の様々な態様について、以下で、添付図面を参照してより十分に説明される。ただし、本開示教示は、多くの異なる形態で実施され得るものであり、本開示全体にわたって提示する任意の特定の構造または機能に限定されるものと解釈すべきではない。むしろ、これらの態様は、本開示が徹底的で完全なものとなり、本開示の範囲を当業者に十分に伝えるように、与えられる。本明細書の教示に基づいて、本開示の範囲は、本発明の任意の他の態様とは無関係に実装されるか、本発明の任意の他の態様と組み合わされるかにかかわらず、本明細書で開示される新規のシステム、装置、および方法の任意の態様を包含するものであることを、当業者なら諒解されたい。たとえば、本明細書で開示される態様のうちの任意の個数を使用して、装置が実施され得、方法が実践され得る。加えて、本発明の範囲は、本明細書で述べられる本発明の様々な態様に加えて、またはそれ以外の、他の構造、機能、または構造および機能を使用して実施されるそのような装置または方法を包含することを意図する。本明細書で開示されるすべての態様が、ある請求項の１つまたは複数の要素によって実施され得ることを理解されたい。
【００１７】
[0025]特定の態様が本明細書で説明されるが、これらの態様の多数の変形および置換が、本開示の範囲に含まれる。好ましい態様のいくつかの利益および利点が述べられるが、本開示の範囲は特定の利益、使用、または目的に限定されるものではない。むしろ、本開示の態様は、様々なワイヤレス技術、システム構成、ネットワーク、および伝送プロトコルに広く適用可能であるものとし、それらのいくつかを例として、図において、および好適な態様についての以下の説明において示す。この詳細な説明および図面は、限定的であるのではなく本開示の説明に役立つものにすぎず、本開示の範囲は、添付の特許請求の範囲とその同等物とによって定義される。
【００１８】
[0026]ワイヤレスネットワーク技術は、様々なタイプのワイヤレスローカルエリアネットワーク（ＷＬＡＮ）を含み得る。ＷＬＡＮは、広く使用されているネットワーキングプロトコルを採用する、隣接デバイスをともに相互接続するために使用され得る。本明細書で説明される様々な態様は、Ｗｉ−Ｆｉ（登録商標）、またはより一般的には、ワイヤレスプロトコルのＩＥＥＥ８０２．１１ファミリーの任意のメンバーなど、任意の通信規格に適用され得る。
【００１９】
[0027]いくつかの態様では、ワイヤレス信号は、直交周波数分割多重化（ＯＦＤＭ）、直接シーケンススペクトル拡散（ＤＳＳＳ：direct-sequence spread spectrum）通信、ＯＦＤＭ通信とＤＳＳＳ通信との組合せ、または他の方式を使用して、高効率８０２．１１プロトコルに従って送信され得る。高効率８０２．１１プロトコルの実装形態は、インターネットアクセス、センサ、計測、スマートグリッドネットワーク、または他のワイヤレス適用例のために使用され得る。有利なことに、この特定のワイヤレスプロトコルを実装するいくつかのデバイスの態様は、他のワイヤレスプロトコルを実装するデバイスよりも消費電力が少ないことがあり、短い距離にわたってワイヤレス信号を送信するために使用されることがあり、および／または、人などの物体によって遮断されることがあまりなさそうな信号を送信することが可能であり得る。
【００２０】
[0028]いくつかの実装形態では、ＷＬＡＮは、ワイヤレスネットワークにアクセスする構成要素である様々なデバイスを含む。たとえば、２つのタイプのデバイス、すなわちアクセスポイント（「ＡＰ」）と（局または「ＳＴＡ」とも呼ばれる）クライアントとがあり得る。概して、ＡＰはＷＬＡＮのためのハブまたは基地局として働き、ＳＴＡはＷＬＡＮのユーザとして働く。たとえば、ＳＴＡは、ラップトップコンピュータ、携帯情報端末（ＰＤＡ）、携帯電話などであり得る。ある例では、ＳＴＡは、インターネットまたは他のワイドエリアネットワークへの全般的な接続性を取得するために、Ｗｉ−Ｆｉ（たとえば、８０２．１１ａｈのようなＩＥＥＥ８０２．１１プロトコル）準拠ワイヤレスリンクを介してＡＰに接続する。いくつかの実装形態では、ＳＴＡは、ＡＰとしても使用され得る。
【００２１】
[0029]本明細書で説明する技法は、直交多重化方式に基づく通信システムを含む、様々なブロードバンドワイヤレス通信システムに使用され得る。そのような通信システムの例としては、空間分割多元接続（ＳＤＭＡ）、時分割多元接続（ＴＤＭＡ）、直交周波数分割多元接続（ＯＦＤＭＡ）システム、シングルキャリア周波数分割多元接続（ＳＣ−ＦＤＭＡ）システムなどがある。ＳＤＭＡシステムは、複数のユーザ端末に属するデータを同時に送信するために十分に異なる方向を利用し得る。ＴＤＭＡシステムは、送信信号を異なるタイムスロットに分割することによって、複数のユーザ端末が同じ周波数チャネルを共有することを可能にし得、各タイムスロットは異なるユーザ端末に割り当てられる。ＴＤＭＡシステムは、ＧＳＭ（登録商標）または当技術分野で知られている何らかの他の規格を実装し得る。ＯＦＤＭＡシステムは、全システム帯域幅を複数の直交サブキャリアに区分する変調技法である、直交周波数分割多重化（ＯＦＤＭ）を利用する。これらのサブキャリアは、トーン、ビンなどと呼ばれることもある。ＯＦＤＭでは、各サブキャリアは独立してデータで変調され得る。ＯＦＤＭシステムは、ＩＥＥＥ８０２．１１または当技術分野で知られている何らかの他の規格を実装し得る。ＳＣ−ＦＤＭＡシステムは、システム帯域幅にわたって分散されたサブキャリア上で送信するためのインターリーブＦＤＭＡ（ＩＦＤＭＡ）、隣接するサブキャリアのブロック上で送信するための局所ＦＤＭＡ（ＬＦＤＭＡ）、または隣接するサブキャリアの複数のブロック上で送信するための拡張ＦＤＭＡ（ＥＦＤＭＡ）を利用し得る。一般に、変調シンボルは、ＯＦＤＭでは周波数領域で、ＳＣ−ＦＤＭＡでは時間領域で送信される。ＳＣ−ＦＤＭＡシステムは、３ＧＰＰ（登録商標）−ＬＴＥ（登録商標）（第３世代パートナーシッププロジェクトロングタームエボリューション（3rd Generation Partnership Project Long Term Evolution））または他の規格を実装し得る。
【００２２】
[0030]本明細書の教示は、様々な有線またはワイヤレス装置（たとえば、ノード）に組み込まれ得る（たとえば、その装置内で実装され、またはその装置によって実行され得る）。いくつかの態様では、本明細書の教示に従って実装されるワイヤレスノードはアクセスポイントまたはアクセス端末を備え得る。
【００２３】
[0031]アクセスポイント（「ＡＰ」）は、ＮｏｄｅＢ、無線ネットワークコントローラ（「ＲＮＣ」）、ｅＮｏｄｅＢ、基地局コントローラ（「ＢＳＣ」）、基地局装置（「ＢＴＳ」）、基地局（「ＢＳ」）、送受信機機能（「ＴＦ」）、無線ルータ、無線送受信機、基本サービスセット（「ＢＳＳ」）、拡張サービスセット（「ＥＳＳ」）、無線基地局（「ＲＢＳ」）、または何らかの他の用語を備えるか、それらのいずれかとして実装されるか、あるいはそれらのいずれかとして知られていることがある。
【００２４】
[0032]局「ＳＴＡ」は、アクセス端末（「ＡＴ」）、加入者局、加入者ユニット、移動局、遠隔局、遠隔端末、ユーザ端末、ユーザエージェント、ユーザデバイス、ユーザ機器、もしくは他の何らかの用語を備えるか、それらのいずれかとして実装されるか、またはそれらのいずれかとして知られていることがある。いくつかの実装形態では、アクセス端末は、セルラー電話、コードレス電話、セッション開始プロトコル（ＳＩＰ）電話、ワイヤレスローカルループ（ＷＬＬ）局、携帯情報端末（ＰＤＡ）、ワイヤレス接続機能を有するハンドヘルドデバイス、またはワイヤレスモデムに接続された何らかの他の適切な処理デバイスを備え得る。したがって、本明細書で教示される１つまたは複数の態様は、電話（たとえば、セルラーフォンまたはスマートフォン）、コンピュータ（たとえば、ラップトップ）、ポータブル通信デバイス、ヘッドセット、ポータブルコンピューティングデバイス（たとえば、携帯データ端末）、エンターテインメントデバイス（たとえば、音楽デバイスもしくはビデオデバイス、または衛星ラジオ）、ゲームデバイスもしくはゲームシステム、全地球測位システムデバイス、または、ワイヤレス媒体を介して通信するために構成された任意の他の適切なデバイスに組み込まれ得る。
【００２５】
[0033]上で論じたように、本明細書で説明するデバイスのいくつかは、たとえば、８０２．１１ａｈ規格を実装し得る。そのようなデバイスは、ＳＴＡとして使用されるか、ＡＰとして使用されるか、他のデバイスとして使用されるかにかかわらず、スマート検針のためにまたはスマートグリッドネットワークにおいて使用され得る。そのようなデバイスは、センサへの適用例を提供し、またはホームオートメーションにおいて使用され得る。デバイスは、代わりにまたは加えて、たとえば、個人の健康管理のために、健康管理の状況において使用され得る。それらのデバイスはまた、（たとえば、ホットスポットとともに使用する）拡張された範囲のインターネット接続性を可能にするために、またはマシンツーマシン通信を実装するために、監視のために使用され得る。
【００２６】
[0034]図１に、本開示の態様が採用され得るワイヤレス通信システム１００の一例を示す。ワイヤレス通信システム１００は、ワイヤレス規格、たとえば、８０２．１１ａｈ、８０２．１１ａｃ、８０２．１１ｎ、８０２．１１ｇおよび８０２．１１ｂ規格のうちの少なくとも１つに従って動作し得る。ワイヤレス通信システム１００は、ＳＴＡ１０６と通信するＡＰ１０４を含み得る。
【００２７】
[0035]ＡＰ１０４とＳＴＡ１０６との間のワイヤレス通信システム１００における送信のために、様々な処理および方法が使用され得る。たとえば、信号は、ＯＦＤＭ／ＯＦＤＭＡ技法に従って、ＡＰ１０４とＳＴＡ１０６との間で送信および受信され得る。この場合、ワイヤレス通信システム１００はＯＦＤＭ／ＯＦＤＭＡシステムと呼ばれることがある。代替的に、信号は、ＣＤＭＡ技法に従って、ＡＰ１０４とＳＴＡ１０６との間で送信および受信され得る。この場合、ワイヤレス通信システム１００はＣＤＭＡシステムと呼ばれることがある。
【００２８】
[0036]ＡＰ１０４からＳＴＡ１０６の１つまたは複数への送信を支援する通信リンクはダウンリンク（ＤＬ）１０８と呼ばれることがあり、ＳＴＡ１０６の１つまたは複数からＡＰ１０４への送信を支援する通信リンクはアップリンク（ＵＬ）１１０と呼ばれることがある。代替的に、ダウンリンク１０８は順方向リンクまたは順方向チャネルと呼ばれることがあり、アップリンク１１０は逆方向リンクまたは逆方向チャネルと呼ばれることがある。
【００２９】
[0037]ＡＰ１０４は、基本サービスエリア（ＢＳＡ）１０２においてワイヤレス通信カバレージを与え得る。ＡＰ１０４は、ＡＰ１０４と関連付けられ、通信のためにＡＰ１０４を使用するＳＴＡ１０６とともに、基本サービスセット（ＢＳＳ）と呼ばれ得る。ワイヤレス通信システム１００は、中央ＡＰ１０４を有していないことがあり、むしろＳＴＡ１０６間のピアツーピアネットワークとして機能し得ることに留意されたい。したがって、本明細書で説明されるＡＰ１０４の機能は、代替的に、ＳＴＡ１０６の１つまたは複数によって実行され得る。
【００３０】
[0038]図２に、ワイヤレス通信システム１００内で採用され得るワイヤレスデバイス２０２において利用され得る様々な構成要素を示す。ワイヤレスデバイス２０２は、本明細書に記載される様々な方法を実施するように構成され得るデバイスの一例である。たとえば、ワイヤレスデバイス２０２は、ＡＰ１０４を備えるか、またはＳＴＡ１０６のうちの１つを備え得る。
【００３１】
[0039]ワイヤレスデバイス２０２は、ワイヤレスデバイス２０２の動作を制御するプロセッサ２０４を含み得る。プロセッサ２０４は、中央処理装置（ＣＰＵ）と呼ばれることもある。読取り専用メモリ（ＲＯＭ）とランダムアクセスメモリ（ＲＡＭ）の両方を含み得るメモリ２０６は、プロセッサ２０４に命令とデータとを供給する。メモリ２０６の一部分は、不揮発性ランダムアクセスメモリ（ＮＶＲＡＭ）も含み得る。プロセッサ２０４は、通常、メモリ２０６内に記憶されたプログラム命令に基づいて論理演算と算術演算とを実施する。メモリ２０６内の命令は、本明細書で説明される方法を実施するように実行可能であり得る。
【００３２】
[0040]プロセッサ２０４は、１つまたは複数のプロセッサとともに実装された処理システムを備え得るか、またはその構成要素であり得る。１つまたは複数のプロセッサは、汎用マイクロプロセッサ、マイクロコントローラ、デジタル信号プロセッサ（ＤＳＰ）、フィールドプログラマブルゲートアレイ（ＦＰＧＡ）、プログラマブル論理デバイス（ＰＬＤ）、コントローラ、状態機械、ゲート論理、個別ハードウェア構成要素、専用ハードウェア有限状態機械、または情報の計算もしくは他の操作を実施することができる任意の他の適切なエンティティの任意の組合せにより実装され得る。
【００３３】
[0041]処理システムはまた、ソフトウェアを記憶するための機械可読媒体を含み得る。ソフトウェアは、ソフトウェア、ファームウェア、ミドルウェア、マイクロコード、ハードウェア記述言語、またはそれ以外のいずれで呼ばれるかにかかわらず、任意のタイプの命令を意味するものとして広範に解釈されるべきである。命令は、（たとえば、ソースコードフォーマット、バイナリコードフォーマット、実行可能コードフォーマット、または任意の他の好適なコードフォーマットの）コードを含み得る。命令は、１つまたは複数のプロセッサによって実行されたとき、処理システムに、本明細書で説明される様々な機能を実施させる。
【００３４】
[0042]ワイヤレスデバイス２０２は、ワイヤレスデバイス２０２と遠隔位置との間のデータの送受信を可能にする送信機２１０と受信機２１２とを含み得るハウジング２０８も含み得る。送信機２１０および受信機２１２は、トランシーバ２１４に結合され得る。アンテナ２１６は、ハウジング２０８に取り付けられ、トランシーバ２１４に電気的に結合され得る。ワイヤレスデバイス２０２はまた、たとえば、ＭＩＭＯ通信中に利用され得る、（図示しない）複数の送信機、複数の受信機、複数のトランシーバ、および／または複数のアンテナを含み得る。
【００３５】
[0043]ワイヤレスデバイス２０２はまた、トランシーバ２１４によって受信された信号のレベルを検出し定量化するために使用され得る、信号検出器２１８を含み得る。信号検出器２１８は、そのような信号を、総エネルギー、シンボルごとのサブキャリア当たりのエネルギー、電力スペクトル密度および他の信号として検出し得る。ワイヤレスデバイス２０２はまた、信号の処理に使用するためのデジタル信号プロセッサ（ＤＳＰ）２２０を含み得る。ＤＳＰ２２０は、送信のためのデータユニットを生成するために構成され得る。いくつかの態様では、データユニットは、物理レイヤデータユニット（ＰＰＤＵ）を備え得る。いくつかの態様では、ＰＰＤＵは、パケットと呼ばれる。
【００３６】
[0044]いくつかの態様では、ワイヤレスデバイス２０２はさらに、ユーザインターフェース２２２を備え得る。ユーザインターフェース２２２は、キーパッド、マイクロフォン、スピーカー、および／またはディスプレイを備え得る。ユーザインターフェース２２２は、ワイヤレスデバイス２０２のユーザに情報を伝達するおよび／またはユーザからの入力を受信する、任意の要素または構成要素を含み得る。
【００３７】
[0045]ワイヤレスデバイス２０２の様々な構成要素は、バスシステム２２６によって互いに結合され得る。バスシステム２２６は、たとえば、データバス、ならびに、データバスに加えて、電力バスと、制御信号バスと、ステータス信号バスとを含み得る。ワイヤレスデバイス２０２の構成要素は、何らかの他の機構を使用して、互いに結合され得るか、または互いに対する入力を受け入れ、または提供し得ることを当業者は諒解されよう。
【００３８】
[0046]図２には、いくつかの別個の構成要素が示されているが、構成要素のうちの１つまたは複数が組み合わされ得るかまたは共通に実装され得ることを当業者は認識されよう。たとえば、プロセッサ２０４は、プロセッサ２０４に関して上で説明された機能を実装するためだけでなく、信号検出器２１８および／またはＤＳＰ２２０に関して上で説明された機能を実装するためにも使用され得る。さらに、図２に示されている構成要素の各々は、複数の別個の要素を使用して実装され得る。
【００３９】
[0047]上記で説明したように、ワイヤレスデバイス２０２は、ＡＰ１０４またはＳＴＡ１０６を備え得、通信を送信および／または受信するために使用され得る。ワイヤレスネットワークにおけるデバイスの間で交換される通信は、パケットまたはフレームを備え得るデータユニットを含み得る。いくつかの態様では、データユニットは、データフレーム、制御フレーム、および／または管理フレームを含み得る。データフレームは、ＡＰおよび／またはＳＴＡから他のＡＰおよび／またはＳＴＡにデータを送信するために使用され得る。制御フレームは、様々な動作を実行するため、およびデータを確実に送達するためのデータフレーム（たとえば、データの受領を肯定応答すること、ＡＰのポーリング、エリア−クリアリング動作、チャネル取得、キャリア−センシング維持機能など）とともに使用され得る。管理フレームは、様々な監督機能のために（たとえば、ワイヤレスネットワークに接続し、そこから離脱するためなどに）使用され得る。
【００４０】
[0048]本開示のいくつかの態様は、ＡＰ１０４が、効率を改善するのに最適化された方法でＳＴＡ１０６の送信をスケジュールすることを可能にすることをサポートする。いくつかの実施形態では、高効率無線（ＨＥＷ：high efficiency wireless）局は、８０２．１１高効率プロトコル（たとえば、８０２．１１ａｘ以降に開発されたプロトコル）を利用する局として定義され得る。ＨＥＷ局とより古いまたはレガシー８０２．１１プロトコル（たとえば、８０２．１１ｂ）を使用する局は、ワイヤレス媒体へのアクセスについて競合し得る。本明細書で説明する高効率８０２．１１プロトコルによって、デバイスが、同時に通信することができるデバイスと同時に通信することができないデバイスとを区別する、修正された機構のもとで動作することが可能になり得る。したがって、集合住宅または人口密度の高い公共空間の場合、高効率８０２．１１プロトコルを使用するＡＰおよび／またはＳＴＡは、アクティブなワイヤレスデバイスの数が増加する中でも、レイテンシの低減とネットワークスループットの増大を経験し、それによってユーザ体験を改善し得る。
【００４１】
[0049]いくつかの実施形態では、ＡＰ１０４は、少なくともサイレンスにされる（silenced）べきワイヤレスデバイスがメッセージを復号することができ、ワイヤレスデバイスの第２のグループが送信のために媒体にアクセスし得るような伝送特性を使用してメッセージを送信することによってワイヤレス媒体へのアクセスを制御し得る。いくつかの実施形態では、メッセージは、第１のグループのネットワーク割当てベクトル（ＮＡＶ）を設定する（たとえば、サイレンスにされる）ようにとの第１のグループのための第１の指示を含み得る。いくつかの実施形態では、メッセージは、デバイスの第２のグループのＮＡＶを設定しない（たとえば、媒体にアクセスする）ようにとのデバイスの第２のグループのための第２の指示を含み得る。たとえば、図１に関して、ＳＴＡ１０６ａおよび１０６ｂは、レガシーＳＴＡであり得、１０６ｃおよび１０６ｄは、ＨＥＷ  ＳＴＡであり得る。この実施形態では、レガシーＳＴＡ１０６ａおよび１０６ｂからの干渉なしにＳＴＡ１０６ｃおよび１０６ｄがＡＰ１０４と通信し得るように、ＳＴＡ１０６ａおよび１０６ｂをサイレンスにすることが望ましいことがある。したがって、伝送特性は、少なくともＳＴＡ１０６ａおよび１０６ｂがメッセージを復号し得るようなものであり得る。ＳＴＡ１０６ａおよび１０６ｂがメッセージを検出すると、ＳＴＡ１０６ａおよび１０６ｂは、メッセージ内の持続時間フィールドによって識別された間隔の間サイレンスにされ得る。メッセージの持続時間フィールドは、総通信時間の所定の割合が、ＳＴＡ１０６ｃおよび１０６ｄが通信するために予約されるように設定され得る。ＳＴＡ１０６ｃおよび１０６ｄはまた、メッセージを復号することが可能であり得るが、それらのネットワーク割当てベクトル（ＮＡＶ）を設定しないようにとの命令を受信し、したがって、メッセージの持続時間フィールド中で識別された間隔の間サイレンスにされないことがある。
【００４２】
[0050]いくつかの態様では、ＡＰ１０４またはＳＴＡ１０６は、レガシーＳＴＡのためのＮＡＶを設定するとの第１の指示とＨＥＷ  ＳＴＡのためのＮＡＶを設定しないとの第２の指示とを備えるメッセージを送ることによってＨＥＷ  ＳＴＡのみまたはＨＥＷ  ＳＴＡのグループのために媒体を予約する伝送特性をもつメッセージを送信し得る。他の態様では、ＡＰ１０４またはＳＴＡ１０６は、ＨＥＷ  ＳＴＡのＮＡＶを設定するとの第１の指示とレガシーＳＴＡのためのＮＡＶを設定しないとの第２の指示とをもつメッセージを送ることによってレガシーＳＴＡのみまたはレガシーＳＴＡのグループのために媒体を予約する伝送特性をもつメッセージを送信し得る。これにより、ＡＰ１０４は、ＨＥＷ  ＳＴＡとレガシーＳＴＡとの間に媒体へのアクセスをより効率的に割り当てることが可能になることになる。
【００４３】
[0051]一実施形態では、第１の指示は、第１の物理レイヤフレームフォーマットをもつ第１のフレームであり得る。第１の物理レイヤフレームフォーマットは、第１のタイプフィールドと第１のサブタイプフィールドとを備え得る。この実装形態では、図１に関して、ＳＴＡ１０６ａおよび１０６ｂは、レガシーＩＥＥＥ８０２．１１規格（たとえば、ＩＥＥＥ８０２．１１ｂ）によるモードで動作し得、ＳＴＡ１０６ｃおよび１０６ｄは、ＩＥＥＥ８０２．１１高効率プロトコルによるモードで動作し得る。一実施形態では、レガシーＳＴＡ１０６ａおよび１０６ｂが、第１のタイプフィールドおよび第１のサブタイプフィールドにかかわらず第１のフレームのためのＮＡＶを復号することが可能であり得るように、第１の物理レイヤフレームは、８０２．１１ｂ（または同様のプロトコル）フレームと同様の構造を有し得る。ＳＴＡ１０６ａおよび１０６ｂは、次いで、第１のフレームに従ってそれらのＮＡＶを設定し得る。一方、ＨＥＷ  ＳＴＡ１０６ｃおよび１０６ｄは、第１のフレームを復号するが、この第１の物理レイヤフレームタイプについて、タイプまたはサブタイプフィールド（たとえば、第２の指示）によって示されるように、それらが、第１のフレームのためのＮＡＶを無視し得、したがって、第１のフレームの持続時間フィールドによって示される時間中に送信を送り得ることを決定し得る。いくつかの実施形態では、第１の物理レイヤフレームフォーマットは、ＳＴＡの１つのグループによってのみ復号可能であり得る（すなわち、第１のフレームはレガシー局によって復号可能でない）。この実装形態では、図１に関して、ＳＴＡ１０６ａおよび１０６ｂは、レガシーＩＥＥＥ８０２．１１規格（すなわち、ＩＥＥＥ８０２．１１ｂ）によるモードで動作し得、ＳＴＡ１０６ｃおよび１０６ｄは、ＩＥＥＥ８０２．１１高効率プロトコルによるモードで動作し得る。この実施形態では、第１の物理レイヤフレームは、ＳＴＡ１０６ｃおよび１０６ｄによってのみ復号可能であり得、第１の指示を備え得る。ＳＴＡ１０６ｃおよび１０６ｄは、次いで、第１の物理レイヤフレームに従ってそれらのＮＡＶを設定し得、一方、ＳＴＡ１０６ａおよび１０６ｂは、第１の物理レイヤフレームを復号することができないことがあり、したがって、媒体がアイドルであったかのように送信を送り得る。したがって、第１の物理レイヤフレームはまた、ＮＡＶを設定しないようにとのＳＴＡ１０６ａおよび１０６ｂのための第２の指示を備え得る。いくつかの実施形態では、第１の物理レイヤフレームはまた、それらのＮＡＶを設定し得るＨＥＷ  ＳＴＡのグループまたはＮＡＶを無視し得るＨＥＷ局のグループを示し得、それにより、ＨＥＷ局のあるグループのために媒体を予約し得る。たとえば、第１の物理レイヤフレームは、ＳＴＡ１０６ｃがそれのＮＡＶを設定すべきであるとの第１の指示を含み、ＳＴＡ１０６ｄがＮＡＶを無視し、自由に送信し得るとの第２の指示を含み得る。いくつかの態様では、第１の物理レイヤフレームフォーマットは、送信要求（ＲＴＳ：request to send）フレーム、送信可（ＣＴＳ：clear to send）フレームまたはＱｏＳヌルフレームのフォーマットと同様であり得る。
【００４４】
[0052]いくつかの実施形態では、第１の指示は、既存のフレームフォーマットのフィールド中の情報であり得る。一態様では、ＡＰ１０４は、自身への送信可（clear-to-send (CTS) to self）フレームを送信し得る。一実施形態では、ＡＰ１０４は、ＣＴＳフレームのＮＡＶを無視するようにとのＳＴＡの第１のグループのための第２の指示としてマルチキャストアドレスまたは特定の媒体アクセス制御（ＭＡＣ）アドレスにＣＴＳフレームの受信機アドレス（ＲＡ：receiver address）を設定し得、一方、ＳＴＡの第２のグループは、持続時間フィールドＣＴＳフレーム（たとえば、第１の指示）の持続時間に従ってそれらのＮＡＶを設定し得る。たとえば、図１に関して、ＳＴＡ１０６ａおよび１０６ｂは、レガシーＳＴＡであり得、１０６ｃおよび１０６ｄは、ＨＥＷ  ＳＴＡであり得る。ＳＴＡ１０６ａおよび１０６ｂは、ＣＴＳの持続時間フィールドの値に従ってそれらのＮＡＶを設定し得、一方で、ＨＥＷ  ＳＴＡ１０６ｃおよび１０６ｄは、それらのＮＡＶを設定しないとの第２の指示としてＲＡマルチキャストアドレスを認識し得、それによって、ＣＴＳの持続時間中に送信することが可能になり得る。別の実施形態では、ＡＰ１０４は、マルチキャストアドレスまたは特定の媒体アクセス制御（ＭＡＣ）アドレスにＣＴＳフレームの受信機アドレス（ＲＡ）を設定し、ＣＴＳフレームのＮＡＶを無視するようにとのＳＴＡの第１のグループへの第２の指示としてＣＴＳフレームのサービスフィールド中のスクランブルシーケンス中のビットのうちの１つを使用し得、一方、ＳＴＡの第２のセットは、第１の指示、たとえば、ＣＴＳフレームの持続時間フィールドに従ってそれらのＮＡＶを設定し得る。
【００４５】
[0053]別の態様では、ＡＰ１０４は、送信要求（ＲＴＳ）フレームを送信し得る。一実施形態では、ＡＰ１０４は、マルチキャストアドレスに送信機アドレス（ＴＡ：transmitter address）を設定することによって第２の指示を定義し、ＲＴＳフレームのＮＡＶを無視するようにとのＳＴＡの第１のグループに指示するために、ＲＴＳのサービスフィールド中のスクランブルシーケンス中のビットのうちの１つを使用し得、一方、ＳＴＡの第２のグループは、ＲＴＳフレームの持続時間フィールド（たとえば、第１の指示）の持続時間に従ってそれらのＮＡＶを設定し得る。たとえば、図１に関して、ＳＴＡ１０６ａおよび１０６ｂは、レガシーＳＴＡであり得、１０６ｃおよび１０６ｄは、ＨＥＷ  ＳＴＡであり得る。ＳＴＡ１０６ａおよび１０６ｂは、ＲＴＳに従ってそれらのＮＡＶを設定し得、一方、ＨＥＷ  ＳＴＡ１０６ｃおよび１０６ｄは、それらのＮＡＶを設定しないとの指示としてＴＡマルチキャストアドレスおよびサービスフィールド中の１ビットの使用を認識し得、それによって、ＲＴＳの持続時間中に送信することが可能になり得る。他の実施形態では、ＡＰ１０４は、任意のデータまたは管理フレームを送信し、マルチキャストアドレスにＴＡを設定し、データまたは管理フレームのＮＡＶを無視するようにＳＴＡの第１のグループに指示する第２の指示として、データまたは管理フレームのサービスフィールド中のスクランブルシーケンス中のビットのうちの１つを使用し得、一方、ＳＴＡの第２のグループは、第１の指示、たとえば、データまたは管理フレームの持続時間フィールドに従ってそれらのＮＡＶを設定し得る。
【００４６】
[0054]別の態様では、ＡＰ１０４またはＳＴＡ１０６は、サービス品質（ＱｏＳ：quality of service）フレームを送信し得る。一実施形態では、ＡＰ１０４は、ＱｏＳフレームのＮＡＶを無視するようにＳＴＡの第１のグループに指示する第２の指示としてＱｏＳ制御フィールドの予約済みビット（reserved bits）中で１ビット指示を使用し得、一方、ＳＴＡの第２のグループは、第１の指示、たとえば、ＱｏＳフレームの持続時間フィールドに従ってそれらのＮＡＶを設定し得る。たとえば、図１に関して、ＳＴＡ１０６ａおよび１０６ｂは、レガシーＳＴＡであり得、１０６ｃおよび１０６ｄは、ＨＥＷ  ＳＴＡであり得る。ＳＴＡ１０６ａおよび１０６ｂは、第１の指示（たとえば、ＱｏＳの持続時間フィールド中の値）を認識し、ＱｏＳの持続時間フィールドに従ってそれらのＮＡＶを設定し得、一方、ＨＥＷ  ＳＴＡ１０６ｃおよび１０６ｄは、それらのＮＡＶを設定しないとの第２の指示として制御フィールド中の１ビット指示を認識し得、それによって、ＱｏＳの持続時間中に送信することが可能になり得る。
【００４７】
[0055]別の態様では、ＡＰ１０４は、制御ラッパーフレーム（control wrapper frame）を送信し得る。いくつかの実施形態では、制御ラッパーフレームは、ＲＴＳまたはＣＴＳフレームを搬送し得る。一実施形態では、ＡＰ１０４は、制御ラッパーフレームのＮＡＶを無視するようにＳＴＡの第１のグループに指示する第２の指示として、制御ラッパーフレームの高スループット制御フィールド中の無効フィールド設定を使用し得、一方、ＳＴＡの第２のグループは、制御ラッパーフレームの持続時間フィールド（たとえば、第１の指示）の持続時間に従ってそれらのＮＡＶを設定し得る。たとえば、図１に関して、ＳＴＡ１０６ａおよび１０６ｂは、レガシーＳＴＡであり得、１０６ｃおよび１０６ｄは、ＨＥＷ  ＳＴＡであり得る。ＳＴＡ１０６ａおよび１０６ｂは、第１の指示、（ＲＴＳフレーム、ＣＴＳフレーム、または他のフレームをもつ）制御ラッパーフレームの持続時間フィールドに従ってそれらのＮＡＶを設定し得、一方、ＨＥＷ  ＳＴＡ１０６ｃおよび１０６ｄは、第２の指示として高スループット制御フィールド中の無効フィールド設定を認識し得、それによって、制御ラッパーフレームの持続時間中に送信することが可能になり得る。
【００４８】
[0056]一実施形態では、第１および第２の指示は、プロトコルバージョンフィールド中の情報に基づき得る。この実施形態では、ＡＰ１０４は、フレームの持続時間フィールド中の持続時間に従ってＮＡＶを設定するようにとのＳＴＡの第１のグループへの第１の指示を備え得るゼロよりも大きい値に設定されたプロトコルバージョンフィールドをもつフレームを送信し、一方、ＳＴＡの第２のグループは、フレームを復号することが可能でないことがあり、したがって、プロトコルバージョンフィールドの値は、それらのＮＡＶを設定しないとの第２の指示を備え得る。たとえば、図１に関して、ＳＴＡ１０６ａおよび１０６ｂは、レガシーＳＴＡであり得、１０６ｃおよび１０６ｄは、ＨＥＷ  ＳＴＡであり得る。ＳＴＡ１０６ａおよび１０６ｂは、ゼロよりも大きい値に設定されたプロトコルバージョンフィールドをもつフレームを復号することが可能でないことがあり、一方、ＨＥＷ  ＳＴＡ１０６ｃおよび１０６ｄは、このフレームを復号することが可能であり得、フレームの持続時間フィールドに従ってそれらのＮＡＶを設定し得る。したがって、ＳＴＡ１０６ａおよび１０６ｂは、フレームの持続時間中に送信することが可能であり得る。
【００４９】
[0057]別の実施形態では、第１の指示は、持続時間フィールド中に情報を備え得る。この実施形態では、ＡＰ１０４は、第１の指示を備え得る無効な持続時間値に設定された持続時間フィールドをもつフレームを送信し得、フレームに従ってＮＡＶを設定するためにＳＴＡの第１のグループによって復号可能であり得、一方、ＳＴＡの第２のグループは、フレームを復号することが可能でないことがあり、したがって、無効な持続時間値は、第２の指示を備え得、ＳＴＡの第２のグループは、それらのＮＡＶを設定しないことがある。いくつかの実施形態では、持続時間フィールドは、ゼロと最大数との間の値、または別の定義された範囲の値の間の値しか受け入れないことがある。無効な継続時間フィールド値は、定義された範囲の許容可能な値の外の値を備え得る。たとえば、図１に関して、ＳＴＡ１０６ａおよび１０６ｂは、レガシーＳＴＡであり得、１０６ｃおよび１０６ｄは、ＨＥＷ  ＳＴＡであり得る。ＳＴＡ１０６ａおよび１０６ｂは、無効な値に設定された持続時間フィールドをもつフレームを復号することが可能でないことがあり、一方、ＨＥＷ  ＳＴＡ１０６ｃおよび１０６ｄは、これに反して、このフレームを復号することが可能であり得、フレームに従ってそれらのＮＡＶを設定し得る。したがって、ＳＴＡ１０６ａおよび１０６ｂは、フレームの持続時間中に送信することが可能であり得る。
【００５０】
[0058]別の実施形態では、第１の指示は、既存のフレームフォーマットのフィールド中に情報を備え得る。一実施形態では、ＡＰ１０４は、ゼロに設定された持続時間フィールドを含むことによってなされる第２の指示をもつ第２のフレームを送信し得る。第２のフレームは、第２のフィールドを含み得、したがって、第２のフィールドは、第２のフレームの第２のフィールドに従ってＮＡＶを設定するようにとのＳＴＡの第１のグループによる第１の指示を備え得、一方、ＳＴＡの第２のグループは、フレーム中の第２のフィールドを復号することが可能でないことがあり、したがって、それらのＮＡＶを設定し得ない。たとえば、図１に関して、ＳＴＡ１０６ａおよび１０６ｂは、レガシーＳＴＡであり得、１０６ｃおよび１０６ｄは、ＨＥＷ  ＳＴＡであり得る。ＳＴＡ１０６ａおよび１０６ｂは、第２のフィールドを復号することが可能ではないことがあり、ゼロに設定された持続時間フィールドは、それらのＮＡＶを設定しないようにとのＳＴＡ１０６ａおよび１０６ｂのための第２の指示を備えることになり、一方、ＨＥＷ  ＳＴＡ１０６ｃおよび１０６ｄは、第２のフレーム中の第２のフィールドを復号することが可能であり得、第２のフィールドは、新しいフィールドに従ってそれらのＮＡＶを設定するようにとのＨＥＷ  ＳＴＡ１０６ｃおよび１０６ｄのための第１の指示を備え得る。したがって、ＳＴＡ１０６ａおよび１０６ｂは、フレームの持続時間中に送信することが可能であり得る。
【００５１】
[0059]いくつかの実施形態では、ＡＰ１０４またはＳＴＡ１０６は、その後、ＮＡＶをリセットするようにとの複数のワイヤレスデバイスのうちのワイヤレスデバイスの第３のサブセットのための第３の指示を備え、ＮＡＶをリセットしないとの複数のワイヤレスデバイスのうちの第４のサブセットのための第４の指示をさらに含むメッセージを送信し得る。いくつかの態様では、第３の指示は、ＨＥＷ  ＳＴＡのみまたはＨＥＷ  ＳＴＡのグループがＮＡＶをリセットし得るようなものであり得、第４の指示は、レガシーＳＴＡがそれらのＮＡＶをリセットしないようなものであり得る。他の態様では、第３の指示は、レガシーＳＴＡのみまたはレガシーＳＴＡのグループがそれらのＮＡＶをリセットし得るようなものであり得、第４の指示は、ＨＥＷ  ＳＴＡがそれらのＮＡＶをリセットしないようなものであり得る。これにより、ＡＰ１０４は、ＨＥＷ  ＳＴＡとレガシーＳＴＡとの間に媒体へのアクセスをより効率的に割り当てることが可能になることになる。
【００５２】
[0060]一実施形態では、第４の指示は、ＣＦ終了フレーム（CF end frame）中に情報を備え得る。この実施形態では、ＡＰ１０４は、第３の指示としてＣＦ終了フレームを送信し得、ＣＦ終了フレームを無視するようにＳＴＡの第１のグループに指示する第４の指示としてマルチキャストアドレスに基本サービスセット識別子（ＢＳＳＩＤ）を設定し得、一方、ＳＴＡの第２のグループは、ＣＦ終了フレームに従ってそれらのＮＡＶをリセットし得る。たとえば、図１に関して、ＳＴＡ１０６ａおよび１０６ｂは、レガシーＳＴＡであり得、１０６ｃおよび１０６ｄは、ＨＥＷ  ＳＴＡであり得る。ＳＴＡ１０６ａおよび１０６ｂは、ＣＦ終了に従ってそれらのＮＡＶをリセットし得、一方、ＨＥＷ  ＳＴＡ１０６ｃおよび１０６ｄは、それらのＮＡＶをリセットしないようにとの指示としてＢＳＳＩＤマルチキャストアドレスを認識し得る。
【００５３】
[0061]別の実施形態では、第３および第４の指示は、修正フレームフォーマット中のＣＦ終了フレームに基づき得る。いくつかの実施形態では、修正ＣＦ終了フレームフォーマットは、ＳＴＡの１つのグループによってしか復号可能でないことがある。この実装形態では、図１に関して、ＳＴＡ１０６ａおよび１０６ｂは、レガシーＩＥＥＥ８０２．１１規格（すなわち、ＩＥＥＥ８０２．１１ｂ）によるモードで動作し得、ＳＴＡ１０６ｃおよび１０６ｄは、ＩＥＥＥ８０２．１１高効率プロトコルによるモードで動作し得る。この実施形態では、修正ＣＦ終了フレームは、ＳＴＡ１０６ｃおよび１０６ｄによってしか復号可能でない第３の指示を備え得る。ＳＴＡ１０６ｃおよび１０６ｄは、次いで、修正ＣＦ終了フレームに従ってそれらのＮＡＶをリセットし得、一方、ＳＴＡ１０６ａおよび１０６ｂは、修正フレームを復号することが可能でないことがあり、したがって、修正ＣＦ終了フレームは、ＳＴＡ１０６ｃおよび１０６ｄがそれらのＮＡＶをリセットし得ないことを指示する第４の指示を備え得る。
【００５４】
[0062]一実施形態では、第３および第４の指示は、第３のタイプおよび第３のサブタイプをもつ第３のフレームフォーマットに基づき得、したがって、第３のフレームフォーマットは、レガシー局によって復号可能でない。この実装形態では、図１に関して、ＳＴＡ１０６ａおよび１０６ｂは、レガシーＩＥＥＥ８０２．１１規格（すなわち、ＩＥＥＥ８０２．１１ｂ）によるモードで動作し得、ＳＴＡ１０６ｃおよび１０６ｄは、ＩＥＥＥ８０２．１１高効率プロトコルによるモードで動作し得る。一実施形態では、第３のフレームは、８０２．１１ｂ（または同様のプロトコル）フレーム（すなわち、ＣＦ終了フレーム）と同様の構造を有し得るが、ＳＴＡ１０６ａおよび１０６ｂは、第３のフレームを復号することが可能でないことがあり、したがって、第３のフレームフォーマットは、ＳＴＡ１０６ａおよび１０６ｂがそれらのＮＡＶをリセットし得ないことを指示する第４の指示を備え得る。ＨＥＷ  ＳＴＡ  １０６ｃおよび１０６ｄは、第３のフレームを復号し、この第３のフレームタイプが第３の指示を備えることと、それらがＮＡＶをリセットし得、したがって、媒体にアクセスし得ることとを決定し得る。
【００５５】
[0063]いくつかの実施形態では、ＡＰ１０４またはＳＴＡ１０６は、可変の時間期間の間媒体を予約し得る。一態様では、ＡＰ１０４またはＳＴＡ１０６は、媒体にアクセスしようと試みる前にタイムスロットの示された数の間待つようにＳＴＡに命令するメッセージを送り得る。メッセージを受信する各ＳＴＡは、示されたタイムスロット値で初期化されるカウンタをもつバックオフプロシージャを実行し得る。各タイムスロットの後に、ＳＴＡは、媒体がタイムスロット中にビジーであったかどうかを検査し得る。媒体がビジーであった場合、カウンタは、前のタイムスロット値にとどまり得る。媒体がアイドルであった場合、カウンタは、１だけ減少し得、カウンタがゼロに達するまで待ち続け得る。したがって、ＡＰ１０４またはＳＴＡ１０６が媒体を予約する時間期間は、媒体中のトラフィックに依存し得、定義された値でないことがある。
【００５６】
[0064]本開示のいくつかの態様は、ＡＰおよびＳＴＡが、効率を改善するのに最適化された方法でＲＴＳ／ＣＴＳ交換を使用してノードのいくつかのサブセットのＮＡＶを選択的に設定することを可能にすることをサポートする。概して、通常の８０２．１１プロトコル（たとえば、８０２．１１ａ、８０２．１１ｂ、８０２．１１ａｃ、８０２．１１ｇ、８０２．１１ｎなど）を使用するワイヤレスネットワークは、媒体アクセスのためのキャリアセンス多重アクセス（ＣＳＭＡ：carrier sense multiple access）機構の下で動作する。ＣＳＭＡに従って、デバイスは、媒体を検知し、媒体がアイドルであると検知されたときにのみ送信する。ベースサービスエリア（ＢＳＡ：base service area）の内部または外部に配置されたいくつかのＡＰまたはＳＴＡが、ＢＳＡ中のＡＰまたはＳＴＡによって行われた送信に干渉することなしにデータを送信することが可能であり得るので、ＣＳＭＡ機構の使用は非効率を生じ得る。アクティブワイヤレスデバイスの数が増加し続けるにつれて、非効率性は、ネットワークレイテンシとスループットとに著しく影響を及ぼし始め得る。本明細書で説明するＲＴＳ／ＣＴＳ交換プロトコルによって、デバイスが、ＲＴＳおよびＣＴＳフレームを交換しているデバイスと同時に通信することができるデバイスと同時に通信することができないデバイスとを区別する、修正された機構のもとで動作することが可能になり得る。したがって、集合住宅または人口密度の高い公共空間の場合、本明細書で説明する修正ＲＴＳ／ＣＴＳプロトコルを使用するＡＰおよび／またはＳＴＡは、アクティブなワイヤレスデバイスの数が増加する中でも、レイテンシの低減とネットワークスループットの増大を経験し、それによってユーザ体験を改善し得る。
【００５７】
[0065]図３は、チャネルｘのための例示的なワイヤレス通信システム３００の図である。図示の実施形態では、ワイヤレス通信システム３００は、各々がＢＳＡ３０１〜３０４とＳＴＡ（たとえば、ＳＴＡ１ｘ、ＳＴＡ２ｘ、およびＳＴＡ４）とを有する複数のＡＰ（たとえば、ＡＰ１ｘ、ＡＰ２ｘ、ＡＰ３ｘ、およびＡＰ４）を含む。いくつかの実施形態では、本明細書で説明するＡＰおよびＳＴＡの様々な動作が交換され得る。チャネルｘで作動する各ＡＰ−ＳＴＡリンク（たとえば、参照リンク３１５）に関して、受信に成功したバイト数は、次のように表すことができる。
【数１】
2016541158.tif 000003
ＲＴＳ／ＣＴＳ交換は、ＣＳＭＡ範囲外のチャネルｘ上でのデータ送信とチャネルｘ上での肯定応答（ＡＣＫ）送信とによって有効に受信される総バイト数をゼロに変更し得る。ＣＳＭＡ範囲外のチャネルｘ上でデータ送信（Ｔｘ）を送るノードおよびチャネルｘ上で肯定応答（ＡＣＫ）送信を送るノードは、チャネルｘ上の所与の参照リンク３１５に対する干渉を生じ得る「妨害物（jammers）」と見なされ得る。ＲＴＳ／ＣＴＳメッセージがメッセージを受信するノードをサイレンスにするとすれば、ＲＴＳ／ＣＴＳの使用がシステムスループットを減少させ得る。しかしながら、干渉を生じ得る多くのデバイスが存在するとき、ＲＴＳ／ＣＴＳ交換は、干渉を低減し、所与のＳＴＡについて受信を改善し得る。
【００５８】
[0066]図４は、例示的なＲＴＳ／ＣＴＳ交換４００の図である。図１に関連して、いくつかの実施形態では、ＡＰ１０４は、ＳＴＡ１０６にＲＴＳフレームを送信し得、ＳＴＡ１０６は、ＡＰ１０４にＣＴＳフレームを送ることによってＲＴＳフレームに応答し得る。隠れノード緩和にとって、またはＳＴＡ１０６に関してデータ送信が成功しなかったときに媒体をクリアする（clearing）ことにとって、ＲＴＳ／ＣＴＳ交換が望ましいことがある。図４に示すように、ＡＰ１は、ＳＴＡ１にＲＴＳ４０５または他のメッセージを送信し得、ＲＴＳ４０５は、延期範囲４０１内のすべてのＳＴＡおよびＡＰを延期する。ＡＰ２は、延期範囲４０１の外側にあり、ＡＰ１に対して隠れノードと見なされ得る。図４に示すように、ＡＰ２は、それ自体の延期範囲４０２をもつＳＴＡ２にメッセージ４１０を送信し得、これは、ＲＴＳ４０５のＳＴＡ１の受信、または応答するＣＴＳフレームのそれの送信と干渉し得る。
【００５９】
[0067]図５および図６に、ＲＴＳ／ＣＴＳシステムの効果を示す。図５は、例示的なＲＴＳ／ＣＴＳ交換の図５００である。図６は、図５のＲＴＳ／ＣＴＳ交換の時間シーケンス図６００である。図５および図６では、ＡＰ１は、ＳＴＡ１に、延期範囲５０１をもつＲＴＳフェーム６０１を送信する。ＳＴＡ１は、次いで、延期範囲５０２をもつＣＴＳフレーム６０２で応答する。図３に関連して、ＡＰ２（隠れノード）は、次いで、延期され、期間６１０の間そのままになるが、ＡＰ１は、ＳＴＡ１にデータパケット６０４を送信し、ＳＴＡはＡＣＫまたはブロックＡＣＫ６０６を送る。したがって、ＲＴＳ６０１およびＣＴＳ６０２は、媒体を予約し、データ送信６０４中に隠れノード（ＡＰ２）からの干渉を防ぎ得る。
【００６０】
[0068]しかしながら、ノードが、ＡＣＫ干渉効果を低減するためにＲＴＳ／ＣＴＳメッセージを生成する場合、ＲＴＳ／ＣＴＳの使用はシステムに対する侵入であり得る。たとえば、Ｎ個の妨害物が、ＳＴＡ（図３に示すＳＴＡ１ｘ）に影響を及ぼし得る。一態様では、システムのスループットは、すべてのＮ個の妨害物のスループットの和に等しくなることになる（Σj=妨害物Ｔｈｊ≡Ｔｈｊａｍｍｅｒ）。ＲＴＳ／ＣＴＳ交換を用いるシステムのスループットは、図示のようにサイレンスにされていない局、ＳＴＡ１ｘのスループットに等しくなることになる（Σj=サイレンスにされていないSTAＴｈｊ＝ＳＴＡ１ｘのスループット≡Ｔｈｓｔａ）。Ｎ個の妨害物があって、それらのうちのＭ個（Ｎ＞Ｍ）をＡＰ１ｘまたはＳＴＡ１ｘが認識している場合、Ｍ個の妨害物はサイレンスにされるべきであり、したがって、ＳＴＡ１ｘは、スループットＴｈｓｔａ＊をもつデータを送信し得る。そのようなシステムでは、システムスループットは、ＳＴＡ１ｘのスループットにサイレンスにされていない妨害物のスループットの和を加えたものに等しくなることになる（たとえば、Ｔｈｓｔａ＊＋Σj=N-Mのサイレンスにされていない妨害物Ｔｈｊ＞Ｔｈｊａｍｍｅｒ＞Ｔｈｓｔａ）。ＡＰ１０４またはＳＴＡ１０６は、任意の従来の手段によって妨害物の数を識別し得る。いくつかの態様では、ＡＰ１０４は、隣接基本サービスセット（ＢＳＳ）と関係するノードとを識別するために走査プロシージャを実行し得る。いくつかの態様では、ＡＰ１０４は、次いで、データの目的とする受信側であるＳＴＡ１０６（たとえば、ＳＴＡ１が、図６のデータ６０４の目的とする受信側である）にキューイングメッセージ（たとえば、１つまたは複数のビーコン要求メッセージなど）を送ることができる。ＡＰ１０４によって聴取され、ＳＴＡのクエリーメッセージ中に含まれていないＢＳＳは、サイレンスにされるべきでない妨害物（Ｎ−Ｍ）を識別する。
【００６１】
[0069]いくつかの実施形態では、ＡＰ１０４またはＳＴＡ１０６は、少なくともサイレンスにされるべきワイヤレスデバイスがメッセージを復号することができ、ワイヤレスデバイスの第２のグループが送信のために媒体にアクセスし得るような伝送特性を使用してメッセージを送信することによってワイヤレス媒体へのアクセスを制御し得る。いくつかの実施形態では、メッセージは、すべてのワイヤレスデバイスによって復号可能であり得、デバイスのワイヤレスのサブセットをサイレンスにするための命令を含み得る。図７は、ワイヤレス通信システム７００における例示的なＲＴＳ／ＣＴＳ交換の図である。たとえば、図７に示すように、ＳＴＡ１およびＡＰ１は、それらのそれぞれの延期範囲７０１および７０２内のいくつかの妨害物を選択的にサイレンスにするためにＲＴＳ／ＣＴＳ交換を使用し得る。この実施形態では、妨害物ノードからの干渉なしにＡＰ１がＳＴＡ１と通信しながら、ＡＰ５がＳＴＡ５と通信することができるように、ＡＰ２、ＡＰ３、ＡＰ４、およびＡＰ６における送信をサイレンスにし、ＡＰ５における送信を可能にすることが望ましいことがある。
【００６２】
[0070]様々な実施形態では、潜在的に干渉するデバイスまたは妨害物は、肯定応答（ＡＣＫ）干渉を生成する（またはそれを生成することが可能な、またはそれを生成する可能性がある）デバイスを含むことができる。たとえば、図７に示すように、ＡＰ６は、潜在的に干渉するデバイスであり得る。本明細書の様々な実施形態では、妨害物または潜在的に干渉するデバイスは、ＡＣＫ干渉の可能性を低減するためにサイレンスにされ得る。
【００６３】
[0071]いくつかの実施形態では、ＡＰ１は、妨害物のＭＡＣアドレスを認識していることがある。ＡＰ１は、サイレンスにされるべき妨害物（たとえば、ＡＰ２、ＳＴＡ２、ＡＰ３、ＳＴＡ４、ＡＰ６、およびＳＴＡ６）を選択し、ＲＴＳの未使用フィールド中にサイレンスにされる妨害物のリストを挿入し得る。ＡＰ１は、次いで、宛先ノードのＳＴＡ１にＲＴＳを送る。ＳＴＡ１は、次いで、ＣＴＳの未使用フィールド中にサイレンスにされる妨害物の同じリストを挿入し、ＲＴＳに応答してＡＰ１にＣＴＳを送る。ワイヤレスシステム中のノードは、受信されたＲＴＳまたはＣＴＳ中に含まれているリスト中にそれのＭＡＣアドレス（たとえば、ＡＰ２、ＳＴＡ２、ＡＰ３、ＳＴＡ４、ＡＰ６、およびＳＴＡ６）を発見する場合、ＲＴＳまたはＣＴＳ中に含まれている値にそれのＮＡＶを設定する。したがって、ＭＡＣアドレスのリストは、ＮＡＶを設定するようにとの、ＭＡＣアドレスのリスト中に含まれたノードのための第１の指示を備え得る。ノードは、受信されたＲＴＳまたはＣＴＳ中に含まれているリスト中にそれのＭＡＣアドレスを発見しない場合、ＲＴＳまたはＣＴＳ中に含まれている値にそれのＮＡＶを設定しない。
【００６４】
[0072]いくつかの実施形態では、図７を参照すると、ＡＰ１は、妨害物のＭＡＣアドレスを認識していることがある。ＡＰ１は、サイレンスにされるべき妨害物を選択し、識別子（たとえば、グループ識別子）に、サイレンスにされる妨害物のＭＡＣアドレスのリストを関連付け、ＳＴＡに識別子を通信し得る。そのような通信は、オーバージエアで、または帯域外機構（たとえば、インターＡＰ通信）を通して行われ得る。ＡＰ１は、次いで、ＲＴＳ中にサイレンスにされるべきＳＴＡのグループ識別子を挿入し、宛先ノードのＳＴＡ１にＲＴＳを送る。ＳＴＡ１は、次いで、受信されたグループ識別子をコピーし、ＣＴＳの未使用フィールド中にサイレンスにされる妨害物の同じグループ識別子を挿入し、ＲＴＳに応答してＡＰ１にＣＴＳを送る。ワイヤレスシステム中のノードは、グループ識別子が受信されたＲＴＳまたはＣＴＳ中に含まれているグループに属する場合、ＲＴＳまたはＣＴＳ中に含まれている値にそれのＮＡＶを設定する。したがって、グループ識別子は、ＮＡＶを設定するようにとの、グループ識別子中に含まれたノードのための第１の指示を備え得る。ノードは、グループ識別子が受信されたＲＴＳまたはＣＴＳ中に含まれているグループに属さない場合、ＲＴＳまたはＣＴＳ中に含まれている値にそれのＮＡＶを設定しない。
【００６５】
[0073]いくつかの実施形態では、図７を参照すると、ＡＰ１は、システム７００中の妨害物の最大数を認識していることがある。ＡＰ１は、ＲＴＳ中に妨害物の最大数の値Ｍを挿入し、次いで、宛先ノードのＳＴＡ１にＲＴＳを送り得る。いくつかの実施形態では、値Ｍは、ＲＴＳの情報要素中に含まれ得る。ＳＴＡ１は、次いで、受信された値Ｍをコピーし、ＣＴＳ中に値Ｍを挿入し、ＲＴＳに応答してＡＰ１にＣＴＳを送る。ノードが、値ＭをもつＲＴＳまたはＣＴＳを受信する場合、ノードは、次いで、ゼロからＭの範囲内でランダム数Ｘを選ぶ。ＸがＭよりも小さい場合、ノードは、ＲＴＳ／ＣＴＳのＮＡＶを設定する。したがって、値ＭがＸよりも大きいとき、第１の指示はイベントを備え得る。そうでない場合、ノードは、ＮＡＶを設定しない。したがって、値ＭがＸよりも小さいとき、第２の指示はイベントを備え得る。
【００６６】
[0074]図８は、例示的な制限付きアクセスウィンドウ（ＲＡＷ）動作の時間シーケンス図である。８０２．１１ａｈ規格では、ＲＡＷ特徴は、少数のＳＴＡへのアップリンクチャネルアクセスを制限することと、それらのアップリンクアクセス試行をより長い時間期間にわたって拡散することとを可能にし、これは、衝突を低減することによって媒体の利用率の効率を改善し得る。ＲＡＷ動作では、ＡＰは、異なるＲＡＷパラメータを用いてビーコン間隔８０２内でＳＴＡの異なるグループに複数のＲＡＷ８０５を割り当て得る。この割当ては、ビーコンのＲＡＷパラメータセット（ＲＰＳ）要素中に示され得る。各ＲＡＷ８０５は、スロット継続時間８０５とスロット境界８１０とをもつ少なくとも１つのスロットを含む。各スロット（すなわちスロット８１２）内で、スロットのグループに属するＳＴＡのみが、スロット継続時間８０４中に送信または受信し得る。いくつかの実施形態では、ＡＰおよびＳＴＡは、上記で説明したようにＲＴＳ／ＣＴＳ交換を開始し得る。いくつかの態様では、ＡＰは、ＲＡＷ動作を利用し、スロットのグループ識別子中にいくつかのＳＴＡのみを含めることによってシステムの妨害物を選択的にサイレンスにし得る。
【００６７】
[0075]図９は、本明細書で説明するいくつかの実施形態による、複数のワイヤレスデバイスのためにワイヤレス通信媒体へのアクセスを予約する例示的な方法９００のフローチャートである。方法９００は、上記で説明したメッセージのいずれかを生成し、送信するために使用され得る。メッセージは、ＡＰ１０４によって、図１に示されたＳＴＡ１０６ａ〜１０６ｄのうちの１つまたは複数に送信され得る。さらに、上記で説明したように、図２に示されたワイヤレスデバイス２０２は、ＡＰ１０４のより詳細な図を表し得る。したがって、一実装形態では、フローチャート９００におけるステップのうちの１つまたは複数が、図２のプロセッサ２０４および送信機２１０など、プロセッサおよび／または送信機によって実行されるか、またはそれらに関連し得るが、本明細書で説明するステップのうちの１つまたは複数を実装するために他の構成要素が使用され得ることを当業者は諒解されよう。ブロックについてある順序で行われるものとして説明することがあるが、ブロックは並べ替えられ得、ブロックは省略され得、および／または追加のブロックが追加され得る。
【００６８】
[0076]動作ブロック９０２では、ＡＰ１０４またはＳＴＡ１０６は、ネットワーク割当てベクトル（ＮＡＶ）を設定するようにとの複数のワイヤレスデバイスのうちのワイヤレスデバイスの第１のサブセットのための第１の指示を含み、ＮＡＶを設定しないようにとの複数のワイヤレスデバイスのうちのワイヤレスデバイスの第２のサブセットのための第２の指示をさらに含むメッセージを送信し、それによって、複数のワイヤレスデバイスのうちの少なくとも第２のサブセットのためにワイヤレス媒体へのアクセスを予約し得る。たとえば、図１に関して、ＡＰ１０４は、少なくともＳＴＡ１０６ａおよび１０６ｂがメッセージを復号し得るような伝送特性を使用してメッセージを送信し得る。そのような実装形態では、少なくともＳＴＡ１０６ａおよび１０６ｂが、メッセージの継続時間の間サイレンスにされ、それによって、少なくともＳＴＡ１０６ｃおよび１０６ｄのために媒体へのアクセスを予約し得る。
【００６９】
[0077]いくつかの実施形態では、装置は、方法９００に関して上記で説明した機能のうちの１つまたは複数を実行し得る。本装置は、ネットワーク割当てベクトル（ＮＡＶ）を設定するようにとの複数のワイヤレスデバイスのうちのワイヤレスデバイスの第１のサブセットのための第１の指示を含み、ＮＡＶを設定しないようにとの複数のワイヤレスデバイスのうちのワイヤレスデバイスの第２のサブセットのための第２の指示をさらに含むメッセージを生成するための手段を備え得る。本装置は、メッセージを送信するための手段をさらに備え得る。
【００７０】
[0078]いくつかの実施形態では、ＡＰ１０４またはＳＴＡ１０６は、媒体を予約し、媒体にアクセスしようと試みる前に媒体がアイドルであるタイムスロットの示された数の間待つように、受信するワイヤレスデバイスに命令するメッセージを送信し得る。たとえば、図１に関して、ＡＰ１０４は、いくつかのタイムスロットの間媒体を予約するＳＴＡ１０６ａ〜１０６ｄにメッセージを送信し得る。そのような実装形態では、ＳＴＡ１０６ａ〜１０６ｄは、媒体にアクセスしようと試みる前にタイムスロットの示された数の間待ち、異なるデバイスが前に媒体にアクセスしたかどうかを検査することになる。
【００７１】
[0079]いくつかの実施形態では、装置は、媒体を予約し、媒体にアクセスしようと試みる前に媒体がアイドルであるタイムスロットの示された数の間待つように、受信するワイヤレスデバイスに命令するメッセージを生成するための手段を備え得る。本装置は、メッセージを送信するための手段をさらに備え得る。
【００７２】
[0080]情報および信号は多種多様な技術および技法のいずれかを使用して表され得ることを、当業者は理解されよう。たとえば、上記の説明全体を通して参照され得るデータと、命令と、コマンドと、情報と、信号と、ビットと、シンボルと、チップとが、電圧、電流、電磁波、磁場または磁性粒子、光場または光学粒子、あるいはそれらの任意の組合せによって表され得る。
【００７３】
[0081]本開示で説明される実装形態への様々な修正が当業者に容易に明らかであり得るとともに、本明細書で定義される包括的な原理は、本開示の趣旨または範囲を逸脱することなく、他の実装形態にも適用され得る。したがって、本開示は、本明細書で示された実装形態に限定されるものではなく、本明細書で開示される特許請求の範囲、原理および新規の特徴に一致する、最も広い範囲を与られるべきである。「例示的」という単語は、本明細書ではもっぱら「例、事例、または例示の働きをすること」を意味するために使用される。本明細書で「例示的」として説明されるいかなる実装形態も、必ずしも他の実装形態よりも好ましいか、または有利であると解釈されるべきではない。
【００７４】
[0082]別個の実装形態の文脈で本明細書で説明された特定の特徴はまた、単一の実装形態において組合せで実装され得る。逆に、単一の実装形態の文脈で説明された様々な特徴は、複数の実装形態において別々に、または任意の適切な部分的な組合せで実装され得る。その上、特徴は、いくつかの組合せで働くものとして上記で説明され、初めにそのように請求されることさえあるが、請求される組合せからの１つまたは複数の特徴は、場合によってはその組合せから削除され得、請求される組合せは、部分組合せ、または部分組合せの変形形態を対象とし得る。
【００７５】
[0083]本明細書で使用される場合、項目のリスト「のうちの少なくとも１つ」を参照する語句は、単一のメンバーを含む、それらの項目の任意の組合せを指す。一例として、「ａ、ｂ、またはｃのうちの少なくとも１つ」は、ａと、ｂと、ｃと、ａ−ｂと、ａ−ｃと、ｂ−ｃと、ａ−ｂ−ｃとを包含することが意図される。
【００７６】
[0084]上記で説明した方法の様々な動作は、様々なハードウェアおよび／またはソフトウェア構成要素、回路、ならびに／あるいはモジュールなど、それらの動作を実行することが可能な任意の好適な手段によって実行され得る。一般に、図に示す任意の動作は、それらの動作を実行することが可能な対応する機能的手段によって実行され得る。
【００７７】
[0085]本開示に関して説明した様々な例示的な論理ブロック、モジュール、および回路は、汎用プロセッサ、デジタル信号プロセッサ（ＤＳＰ）、特定用途向け集積回路（ＡＳＩＣ）、フィールドプログラマブルゲートアレイ信号（ＦＰＧＡ）もしくは他のプログラマブル論理デバイス（ＰＬＤ）、個別ゲートもしくはトランジスタ論理、個別ハードウェア構成要素、または本明細書で説明する機能を実行するように設計されたそれらの任意の組合せによって実装または実行され得る。汎用プロセッサはマイクロプロセッサであり得るが、代替として、プロセッサは、任意の市販のプロセッサ、コントローラ、マイクロコントローラ、または状態機械であり得る。プロセッサはまた、コンピューティングデバイスの組合せ、たとえば、ＤＳＰとマイクロプロセッサの組合せ、複数のマイクロプロセッサ、ＤＳＰコアと連携する１つまたは複数のマイクロプロセッサ、あるいは任意の他のそのような構成として実装され得る。
【００７８】
[0086]１つまたは複数の態様では、記載された機能は、ハードウェア、ソフトウェア、ファームウェア、またはそれらの任意の組合せに実装され得る。ソフトウェアに実装される場合、機能は、１つまたは複数の命令またはコードとして、コンピュータ可読媒体上に記憶され得、またはコンピュータ可読媒体を介して送信され得る。コンピュータ可読媒体は、ある場所から別の場所へのコンピュータプログラムの転送を可能にする任意の媒体を含む、コンピュータ記憶媒体とコンピュータ通信媒体の両方を含む。記憶媒体は、コンピュータによってアクセスされ得る任意の入手可能な媒体であり得る。限定ではなく例として、そのようなコンピュータ可読媒体は、ＲＡＭ、ＲＯＭ、ＥＥＰＲＯＭ（登録商標）、ＣＤ−ＲＯＭまたは他の光ディスクストレージ、磁気ディスクストレージまたは他の磁気記憶デバイス、あるいは命令またはデータ構造の形態の所望のプログラムコードを搬送または記憶するために使用され得、コンピュータによってアクセスされ得る任意の他の媒体を備えることができる。さらに、任意の接続がコンピュータ可読媒体と適切に呼ばれる。たとえば、同軸ケーブル、光ファイバーケーブル、ツイストペア、デジタル加入者線（ＤＳＬ）、または赤外線、無線、およびマイクロ波などのワイヤレス技術を使用して、ソフトウェアがウェブサイト、サーバまたは他のリモートソースから送信される場合、同軸ケーブル、光ファイバーケーブル、ツイストペア、ＤＳＬ、または赤外線、無線、およびマイクロ波などのワイヤレス技術は、媒体の定義に含まれる。本明細書で使用されるディスク（disk）およびディスク（disc）は、コンパクトディスク（disc）（ＣＤ）、レーザーディスク（登録商標）（disc）、光ディスク（disc）、デジタル多用途ディスク（disc）（ＤＶＤ）、フロッピー（登録商標）ディスク（disk）、およびＢｌｕ−ｒａｙ（登録商標）ディスク（disc）を含み、ここで、ディスク（disk）は、通常、データを磁気的に再生し、一方ディスク（disc）は、データをレーザーで光学的に再生する。したがって、いくつかの態様では、コンピュータ可読媒体は、非一時的コンピュータ可読媒体（たとえば有形媒体）を備え得る。さらに、いくつかの態様では、コンピュータ可読媒体は、一時的コンピュータ可読媒体（たとえば信号）を備え得る。上の組合せも、コンピュータ可読媒体の範囲内に含まれるべきである。
【００７９】
[0087]本明細書に開示された方法は、説明した方法を実現するための１つまたは複数のステップまたはアクションを備える。本方法のステップおよび／またはアクションは、特許請求の範囲から逸脱することなく、互いに交換され得る。言い換えれば、ステップまたはアクションの特定の順序が明記されていない限り、特定のステップおよび／またはアクションの順序および／または使用は、特許請求の範囲を逸脱することなく修正され得る。
【００８０】
[0088]さらに、本明細書で説明した方法および技法を実行するためのモジュールおよび／または他の適切な手段は、適用可能な場合にユーザ端末および／または基地局によってダウンロードされ、および／または他の方法で取得され得ることを諒解されたい。たとえば、そのようなデバイスは、本明細書に記載された方法を実施するための手段の転送を容易にするために、サーバに結合され得る。代替的に、本明細書で説明される様々な方法は、ユーザ端末および／または基地局が記憶手段をデバイスに結合するかまたは提供すると様々な方法を取得することができるように、記憶手段（たとえば、ＲＡＭ、ＲＯＭ、コンパクトディスク（ＣＤ）またはフロッピーディスクなどの物理記憶媒体など）を介して提供され得る。その上、本明細書に記載された方法と技法とをデバイスに提供するための任意の他の適切な技法が利用され得る。
【００８１】
[0089]上記は本開示の態様を対象とするが、本開示の他の態様およびさらなる態様は、それの基本的範囲から逸脱することなく考案され得、それの範囲は以下の特許請求の範囲によって決定される。
【図１】
2016541158.tif 000004
【図２】
2016541158.tif 000005
【図３】
2016541158.tif 000006
【図４】
2016541158.tif 000007
【図５】
2016541158.tif 000008
【図６】
2016541158.tif 000009
【図７】
2016541158.tif 000010
【図８】
2016541158.tif 000011
【図９】
2016541158.tif 000012
【国際調査報告】
2016541158.tif 000013
2016541158.tif 000014
2016541158.tif 000015